(57)【要約】【課題】脚受ボトムを腰受ボトム下方に収納する際に作動する部材における最下点の高さを一定に保持したまま脚受ボトムを収納可能な収納機構と、各ボトムの高さを調節可能な昇降手段を具備したベッドを提供すること。【解決手段】ソファー状態に変形可能なベッドにおいて、基台フレームに前後摺動可能に摺動フレームを配設する。また、摺動フレームに腰受ボトムを配設すると共に、摺動フレームが基台フレームに対して前後摺動することで作動する収納機構に脚受ボトムを配設する。そして、摺動フレームに前後摺動可能に配設した第二摺動フレームが摺動フレームに対して後方へ摺動することで、脚受ボトムを第二摺動フレームと基台フレーム及び摺動フレームとの間に移動させ、脚受ボトムを腰受ボトム下方へ収納させるようにする。また、基台フレームを昇降手段にて床面に設置されるベースフレームに対して昇降可能とした基台ユニットを具備させる。【選択図】図１
2006296612.tif 000002
【特許請求の範囲】
【請求項１】
少なくとも背受ボトムと腰受ボトムと脚受ボトムを具備し、前記背受ボトムは基台フレームに前後摺動可能に配設された摺動フレームが前記基台フレームに対して前後摺動することで作動する起伏機構によって支持され、前記腰受ボトムは前記摺動フレームに支持され、前記脚受ボトムは前記摺動フレームが前記基台フレームに対して前後摺動することで作動する収納機構によって支持され、前記各ボトムが同一平面を形成するベッド状態から背受ボトムが起立される際、腰受ボトムが後方へ移動されると共に脚受ボトムが腰受ボトム下方へ収納されることで、ソファー状態へ変形可能とされたベッドにおいて、前記脚受ボトムを腰受ボトム下方へ収納させる際、前記摺動フレームに前後摺動可能に配設された第二摺動フレームが摺動フレームに対して後方へ摺動することで、脚受ボトムを第二摺動フレームと基台フレーム及び摺動フレームとの間に移動させて、脚受ボトムを腰受ボトム下方へ収納可能とした収納機構と、前記基台フレームを昇降手段にて床面に設置されるベースフレームに対して昇降可能とした基台ユニットを具備したことを特徴とするベッド。
【請求項２】
前記収納機構において、第二摺動フレームを摺動フレームに対して前後摺動させる摺動リンクを具備したことを特徴とする請求項１に記載のベッド。
【請求項３】
前記収納機構において、第二摺動フレームが摺動フレームに対して後方へ摺動することにより、脚受ボトムを第二摺動フレームと基台フレーム及び摺動フレームとの間に収まる高さへ水平な状態を保持しながら移動させる収納リンクを具備したことを特徴とする請求項１及び請求項２に記載のベッド。
【請求項４】
前記基台ユニットに具備した昇降手段を平行リンクとしたことを特徴とする請求項１から請求項３に記載のベッド。
【発明の詳細な説明】
【技術分野】
【０００１】
本発明は、ベッド状態とソファー状態とに変形可能なベッドに関するものである。
【背景技術】
【０００２】
従来の技術では、ベッドの床部を少なくとも背受ボトムと腰受ボトムと脚受ボトムとに分割し、前記背受ボトムは起伏回動自在に前端側をベッド本体に枢着して適宜背上げ可能に設け、一方前記脚受ボトムは腰受ボトムの下部に当該脚受ボトムを移動可能な収納機構により支持された、ベッド状態とソファー状態に変形可能なベッドがある。このベッドの収納機構は、スライド枠を斜め下方にスライド移動させることで、脚受ボトムを腰受ボトムの下方に収納する構成となっている。
【０００３】
この技術によると、脚受ボトムを収納させる際、スライド枠を斜め下方向へ腰受ボトムの下方までスライド移動させるため、収納機構の構成部材の最下点が低くなる方向に変化する。すなわち、ベッド状態における収納機構の構成部材の最下点よりも低くなる方向にも収納機構の構成部材を移動させるため、腰受ボトム下方の収納機構の構成部材を移動させるために必要なスペースが大きくなる。したがって、ベッドの高さを高くしておく必要がある。これによると、体格の小さな利用者によっては、ソファー状態に変形させた際、垂下させた足がベッドの設置面に届かない場合があり、その状態から離床する際に、離床しにくいこともある。
【特許文献１】特開平９−３１３５４６号公報
【発明の開示】
【発明が解決しようとする課題】
【０００４】
そこで、本発明は上記事情を鑑み、脚受ボトムを腰受ボトム下方に収納する際に作動する部材における最下点の高さを一定に保持したまま脚受ボトムを収納可能な収納機構と、各ボトム高さを調節可能な昇降手段を具備したベッドを提供することを課題とする。
【課題を解決するための手段】
【０００５】
請求項１の発明は、少なくとも背受ボトムと腰受ボトムと脚受ボトムを具備し、前記背受ボトムは基台フレームに前後摺動可能に配設された摺動フレームが前記基台フレームに対して前後摺動することで作動する起伏機構によって支持され、前記腰受ボトムは前記摺動フレームに支持され、前記脚受ボトムは前記摺動フレームが前記基台フレームに対して前後摺動することで作動する収納機構によって支持され、前記各ボトムが同一平面を形成するベッド状態から背受ボトムが起立される際、腰受ボトムが後方へ移動されると共に脚受ボトムが腰受ボトム下方へ収納されることで、ソファー状態へ変形可能とされたベッドにおいて、前記脚受ボトムを腰受ボトム下方へ収納させる際、前記摺動フレームに前後摺動可能に配設された第二摺動フレームが摺動フレームに対して後方へ摺動することで、脚受ボトムを第二摺動フレームと基台フレーム及び摺動フレームとの間に移動させて、脚受ボトムを腰受ボトム下方へ収納可能とした収納機構と、前記基台フレームを昇降手段にて床面に設置されるベースフレームに対して昇降可能とした基台ユニットを具備したことを特徴とする。
請求項２の発明は、前記収納機構において、第二摺動フレームを摺動フレームに対して前後摺動させる摺動リンクを具備したことを特徴とする。
請求項３の発明は、前記収納機構において、第二摺動フレームが摺動フレームに対して後方へ摺動することにより、脚受ボトムを第二摺動フレームと基台フレーム及び摺動フレームとの間に収まる高さへ水平な状態を保持しながら移動させる収納リンクを具備したことを特徴とする。
請求項４の発明は、前記基台ユニットに具備した昇降手段を平行リンクとしたことを特徴とする。
【発明の効果】
【０００６】
請求項１の発明によれば、基台フレームに対して前後摺動可能な摺動フレームに前後摺動可能に第二摺動フレームを配設した。そして、脚受ボトムを腰受ボトムの下方へ収納させる際、前記第二摺動フレームが摺動フレームに対して後方へ摺動することで脚受ボトムを第二摺動フレームと基台フレーム及び摺動フレームとの間に移動させて、脚受ボトムを腰受ボトム下方へ収納可能とした。すなわち、脚受ボトムを腰受ボトムの下方へ収納させる際に、収納機構を構成する部材の最下点の高さを一定に保ったまま、収納機構を作動させるようにしている。これによると、このベッドは、収納機構の下方に余分なスペースを設けておく必要がなく、ベッドの高さを低く設定することができるようになる。したがって、このベッドは、ベッドの高さを低く設定することが可能となることから、体格の小さな利用者でも、ベッドをソファー状態に変形させた際、垂下させた足がベッドの設置面である床面に届くようにでき、様々な体格の利用者が安心して腰掛け姿勢をとれるようにできる。また、利用者がベッドに腰掛けた状態から離床する際に、離床しやすくできる。さらに、利用者の体格に合わせて、ベッドの高さを設定することができる。また、ベッドを低床型のベッドとすることができ、ベッドに仰臥した利用者及びその介護者に安心感を与えることができる。
また、前記基台フレームを昇降手段にて床面に設置されるベースフレームに対して昇降可能とした基台ユニットを具備した。これによると、このベッドは、床面に対する各ボトムの高さを変えることができる。したがって、このベッドは、ベッドに仰臥した利用者を介護者が介助するに当たり、介護者が介助を行いやすい高さにベッドの高さを任意に調節でき、より楽に介助が行えるようにできる。また、利用者が腰掛けた状態から離床しやすい高さに任意にベッドの高さを調節できることで、利用者がより離床しやすくできる。すなわち、このベッドは、基台ユニットに昇降手段を具備させたことで、より使い勝手の良いベッドとできる。
【０００７】
請求項２の発明によれば、第二摺動フレームを摺動フレームに対して前後摺動させる摺動リンクを具備した。これによると、第二摺動フレームの移動量を摺動フレームの移動量より大きくすることができるようになる。また、摺動フレームを動作させる駆動力のみで第二摺動フレームも動作させることができ、摺動フレームに駆動力を伝える駆動手段一つでベッドを動作させることができる。さらに、駆動手段一つを操作することで、簡単にベッドをベッド状態またはソファー状態へ変形させることができる。
【０００８】
請求項３の発明によれば、第二摺動フレームが摺動フレームに対して後方へ摺動することにより、脚受ボトムを第二摺動フレームと基台フレーム及び摺動フレームとの間に収まる高さへ水平な状態を保持しながら移動させる収納リンクを具備した。これによると、第二摺動フレームと摺動フレーム及び基台フレームとの間に設ける空間を少なくすることができる。したがって、ベッドの高さをより低く設定できるようになる。
【０００９】
請求項４の発明によれば、基台ユニットに具備した昇降手段を平行リンクとした。これによると、ベースフレームに対して水平な状態を保持したまま基台フレームを昇降させることができ、昇降手段を作動させた際に、ベッドに仰臥した利用者及びその介護者に不安感を与えないようにできる。
【発明を実施するための最良の形態】
【００１０】
ベッド状態とソファー状態に変形可能に構成したベッドにおいて、基台フレームに前後摺動可能に摺動フレームを配設させる。また、前記摺動フレームが基台フレームに対して前後摺動することで作動する起伏機構に背受ボトムを配設させると共に、前記摺動フレームに腰受ボトムを配設させる。さらに、前記摺動フレームが基台フレームに対して前後摺動することで作動する収納機構に脚受ボトムを配設させる。そして、収納機構を作動させた際、前記摺動フレームに前後摺動可能に配設した第二摺動フレームが前記摺動フレームに対して後方へ摺動することで、脚受ボトムを第二摺動フレームと基台フレーム及び摺動フレームとの間に移動させて、脚受ボトムを腰受ボトム下方へ収納させるようにする。すなわち、脚受ボトムを腰受ボトムの下方に移動させる際に、収納機構を構成する部材の最下点の高さを一定に保ったまま、収納機構を作動させるようにする。また、前記基台フレームを昇降手段にて床面に設置されるベースフレームに対して昇降可能とした基台ユニットを具備させる。
【００１１】
これによると、このベッドは、収納機構の下方に余分なスペースを設けておく必要がなく、ベッドの高さを低く設定することができるようになる。したがって、このベッドは、ベッドの高さを低く設定することが可能となることから、体格の小さな利用者でも、ベッドをソファー状態に変形させた際、垂下させた足がベッドの設置面である床面に届くようにでき、様々な体格の利用者が安心して腰掛け姿勢をとれるようにできる。また、利用者がベッドに腰掛けた状態から離床する際に、離床しやすくできる。さらに、利用者の体格に合わせて、ベッドの高さを設定することができる。また、ベッドを低床型のベッドとすることができ、ベッドに仰臥した利用者及びその介護者に安心感を与えることができる。
また、このベッドは、収納機構にて脚受ボトムを腰受ボトム下方に収納できるようにしたことで、脚受ボトムを収納させた際、ベッド前方に開放空間を形成することができ、ベッドに仰臥していた使用者が離床するためのスペースを簡単に確保することができる。
さらに、このベッドは、起伏機構及び収納機構により、ベッド状態からソファー状態へ変形させることができることから、ベッドに仰臥した利用者が身体の向きを換えることなく腰掛けた状態となれ、ベッドの側部で端座位を取ることなく、利用者がベッド前方から容易に離床可能にできる。
また、このベッドは、基台フレームを昇降手段にて床面に設置されるベースフレームに対して昇降可能とした基台ユニットを具備したことで、床面に対する各ボトムの高さを変えることができる。したがって、このベッドは、ベッドに仰臥した利用者を介護者が介助するに当たり、介護者が介助を行いやすい高さにベッドの高さを任意に調節でき、より楽に介助が行えるようにできる。また、利用者が腰掛けた状態から離床しやすい高さに任意にベッドの高さを調節できることで、利用者がより離床しやすくできる。すなわち、このベッドは、基台ユニットに昇降手段を具備させたことで、より使い勝手の良いベッドとできる。
【実施例１】
【００１２】
本発明にかかるベッドの一実施形態を図面に基づいて説明する。第１図はベッドを示す説明図である。第２図は基台ユニットを示す平面図である。第３図は基台ユニットを示す側面図である。第４図は基台フレームを示す説明図である。第５図は摺動フレームを示す説明図である。第６図は起伏機構の構成を示す平面図である。第７図は起伏機構の構成を示す説明図である。第８図はソファー状態における起伏機構の状態を示す部分側断面図である。第９図は第二摺動フレーム及び収納リンクを示す説明図である。第１０図は収納機構の構成を示す説明図である。第１１図は収納機構が作動する様子を示す説明図である。第１２図は脚受ボトムが収納された状態を示す部分側断面図である。第１３図はベッド状態において昇降手段を作動させた状態を示す側面図である。第１４図はベッドのソファー状態を示す側面図である。第１５図はソファー状態において昇降手段を作動した状態を示す側面図である。
【００１３】
このベッド１は、基台ユニット２と、該基台ユニット２に前後摺動可能に配設される摺動フレーム３と、該摺動フレーム３を前後摺動させるための駆動手段４と、前記摺動フレーム３に配設される腰受ボトム５と、該腰受ボトム５に隣接するように配設される背受ボトム６及び脚受ボトム７から主に構成されている。また、このベッド１には、前記摺動フレーム３の前後摺動により背受ボトム６を起伏させる起伏機構８と、前記摺動フレーム３の前後摺動により脚受ボトム７を腰受ボトム５下方に収納させる収納機構９が具備されている。
【００１４】
まず、基台ユニット２について説明する。
この基台ユニット２は、床面上に設置されるベースフレーム１０と、該ベースフレーム１０に対して基台フレーム１１を昇降させる昇降手段１２から主に構成されている。
まず、ベースフレーム１０は、第２図及び第３図の（ａ）図に示すように、平面視において前方側が開放された略々コ字形状に構成されており、該ベースフレーム１０の前後両側部には昇降手段１２の構成部材である側面視において略々矩形状の第一杆体１３，１３，・・・がそれぞれ固着されている。
次に、昇降手段１２は、第２図及び第３図の（ａ）図に示すように、側面視において略々三角形状の第二杆体１４，１４，・・・の前部と前記第一杆体１３，１３，・・・上部が軸材１５，１５，・・・にて枢結されると共に、前記ベースフレーム１０後部側に位置する第二杆体１４，１４間に連結桁１６が固着されている。また、横桁１７ａ，１７ａの前後部下面に側面視において略々五角形状の第三杆体１７ｂ，１７ｂ，・・・がそれぞれ固着されると共に、横桁１７ａ，１７ａの内側方向へ突出するように連結具１７ｃ，１７ｃ，・・・が固着されたサイドフレーム１７，１７の前記第三杆体１７ｂ，１７ｂ，・・・下部と前記第二杆体１４，１４，・・・下部が軸材１８，１８，・・・にて枢結されている。また、前記ベースフレーム１０の前後に位置する第二杆体１４，１４，・・・後部間に第四杆体１９，１９が軸材２０，２０，・・・にて枢結されている。すなわち、当該昇降手段１２は前記各杆体１３，１３，・・・，１４，１４，・・・，１７ｂ，１７ｂ，・・・，１９，１９にて平行リンクを構成している。
続いて、基台フレーム１１は、第４図に示すように、平面視において略々矩形状に構成された枠フレーム２１の横桁２１ａ，２１ａの前後部外側面に連結具２２，２２，２３，２３がそれぞれ固着され、前記横桁２１ａ，２１ａの内側面には該横桁２１ａ，２１ａに沿うように、かつ、正面視において略々コ字形状のレール２４，２４が該レール２４，２４の開放された側が内側を向くように固着されている。なお、前記レール２４，２４の中間下部には後述する摺動フレーム３を配設するための切欠部２４ａ，２４ａが設けられている。また、枠フレーム２１の後桁２１ｂ両端にはヘッドボードＨＢ取付け用の係止具２５，２５が固着されると共に、該後桁２１ｂの一端部下面にはブラケット２６が固着されている。さらに、該後桁２１ｂの中間部には後述する駆動手段４の係止部材２７が固着されると共に、両端部には後述する起伏機構８の取付部材２８，２８が固着され、該取付部材２８，２８の上面には後述する背受ボトム６を支持する支持具２８ａ，２８ａが設けられている。また、後桁２１ｂの前記ブラケット２６取付け他端側下面には後述する収納機構９の取付部となるプレート２９，２９が固着されている。さらに、枠フレーム２１の前桁２１ｃ中間部後面にはブラケット３０が固着され、該ブラケット３０にはローラー３１が軸材３２にて枢結されている。
このように構成された基台フレーム１１は、枠フレーム２１に設けた連結具２２，２２，２３，２３を前記昇降手段１２のサイドフレーム１７，１７に設けた連結具１７ｃ，１７ｃ，・・・に重ね合わせ、両者を螺子３３，３３，・・・にて止着させることで、ベースフレーム１０上方に配設される。そして、基台フレーム１１に設けた前記ブラケット２６に適宜伸縮自在なアクチュエーター３４後部を軸材３５にて枢結させ、前端を前記ブラケット２６が位置する側の昇降手段１２の第四杆体１９中間部に固着されたブラケット３６に軸材３７にて枢結させる。
【００１５】
このように構成された基台ユニット２は、第３図に示すように、（ａ）図に示す状態から（ｂ）図に示す状態へとアクチュエーター３４を伸長させることで、第四杆体１９を前方へ押し出すと、第二杆体１４，１４，・・・が第一杆体１３，１３，・・・に対して軸材１５，１５，・・・を中心に前上方へ回動される。これに伴って、サイドフレーム１７，１７の第三杆体１７ｂ，１７ｂ，・・・が第二杆体１４，１４，・・・に対して軸材１８，１８，・・・を中心にサイドフレーム１７，１７の横桁１７ａ，１７ａが床面に対して水平な状態を保つように回動される。また、このとき、連結桁１６により昇降手段１２の各杆体１３，１３，・・・，１４，１４，・・・，１７ｂ，１７ｂ，・・・，１９，１９は均等かつ同期的に作動される。すなわち、基台ユニット２は、アクチュエーター３４の伸縮作動により昇降手段１２である各杆体１３，１３，・・・，１４，１４，・・・，１７ｂ，１７ｂ，・・・，１９，１９を回動させ、基台フレーム１１を床面に対して水平な状態を保持したままベースフレーム１０に対して昇降可能に構成されている。
【００１６】
次に、前記基台ユニット２に前後摺動可能に配設される摺動フレーム３について説明する。
この摺動フレーム３は、第５図に示すように、左右一対の主桁３ａ，３ａの前部及び後部に車軸３ｂ，３ｂ，・・・の一端側が外側方向へ突出するように取付けられ、その突出側に前記基台ユニット２の基台フレーム１１に設けたレール２４，２４内で転動可能なローラー３ｃ，３ｃ，・・・が取付けられている。また、主桁３ａ，３ａの前部には後述する腰受ボトム５を支持する支持具３８，３８が支持アーム３ｄ，３ｄを介して設けられ、主桁３ａ，３ａの後部には後述する背受ボトム６を支持する支持具３９，３９がＬ型プレート３ｅ，３ｅを介して設けられている。さらに、前記主桁３ａ，３ａの前部及び後部の下面には吊下げパイプ３ｆ，３ｆ，・・・が固着され、該吊下げパイプ３ｆ，３ｆ，・・・の下端には下桁３ｇ，３ｇの後部及び中間部の上面がそれぞれ固着されている。また、該下桁３ｇ，３ｇの内側面には該下桁３ｇ，３ｇに沿うように、かつ、正面視において略々コ字形状のレール３ｈ，３ｈが該レール３ｈ，３ｈの開放された側が内側を向くように固着されている。さらに、前記下桁３ｇ，３ｇ及びレール３ｈ，３ｈの前部下面間には前桁３ｉが固着され、該前桁３ｉ両端部の後面にはブラケット３ｊ，３ｊが固着されると共に、該ブラケット３ｊ，３ｊにはローラー４０，４０が軸材４１，４１にて枢結されている。また、前記下桁３ｇ，３ｇ及びレール３ｈ，３ｈの後部上面間には後桁３ｋが固着され、該後桁３ｋの適所には上下方向の軸心を有するようボス部材４２が固着されている。また、前記主桁３ａ，３ａ前側に設けられた吊下げパイプ３ｆ，３ｆ間には連結パイプ３ｌが固着され、該連結パイプ３ｌの中間部には後述する駆動手段４の係止部材４３が固着されると共に、両端部には側面視において略々逆ヘ字形状のプレート４４，４４が固着されている。なお、該プレート４４，４４の前部には後述する腰受ボトム５の取付部となる空孔部４４ａ，４４ａが穿たれ、後部には後述する起伏機構８の取付部となる空孔部４４ｂ，４４ｂが穿たれると共にブラケット部材４４ｃ，４４ｃが固着されている。
【００１７】
このように構成された摺動フレーム３を前記基台ユニット２の基台フレーム１１に対して前後摺動させる駆動手段４として適宜伸縮自在なアクチュエーター４５を用いている。このアクチュエーター４５は、後部が前記基台フレーム１１の係止部材２７に軸材４６にて枢結され、前部が摺動フレーム３の前記係止部材４３に軸材４７にて枢結されている（第６図参照。）。このように、基台フレーム１１と摺動フレーム３との間に駆動手段４を配設することで、駆動手段４であるアクチュエーター４５の伸縮により、摺動フレーム３が基台フレーム１１のレール２４，２４に沿って適宜前後摺動可能に構成されている。
なお、本実施例においては、駆動手段４として適宜伸縮自在なアクチュエーター４５を用いているが、例えば螺子と螺合体により相対的に前後に移動する構成の駆動手段としても良く、本実施例に限定するものではなく、駆動手段は摺動フレーム３を基台フレーム１１に対して前後に摺動できるものであれば何ら問題はない。
また、本実施例においては、前記駆動手段４の制御装置を図示してはいないが、基台フレーム１１に対して摺動フレーム３を任意の位置で作動及び停止できるように構成されているものである。
【００１８】
続いて、前記摺動フレーム３に配設される腰受ボトム５について説明する。
この腰受ボトム５は、第６図及び第７図に示すように、平面視において後側が開放された略々コ字形状に曲折された枠パイプ５ａの開放端部間に桁パイプ５ｂが固着され、該桁パイプ５ｂの両端部後面に平面視において略々へ字形状に曲折された軸材５ｃ，５ｃが固着されている。また、該桁パイプ５ｂと枠パイプ５ａ間には複数の補強桁５ｄ，５ｄが固着され、該補強桁５ｄ，５ｄと枠パイプ５ａ，５ａ間にはプレート５ｅ，５ｅが固着されている。さらに、前記枠パイプ５ａと桁パイプ５ｂの中間部間にはガイド桁５ｆが固着され、該ガイド桁５ｆの下部には当該腰受ボトム５を揺動させるための側面視において略々台形状の揺動部材４８が配設されている。また、前記枠パイプ５ａの両側部には拡張フレーム５ｇ，５ｇが固着されている。なお、図示していないが、腰受ボトム５の内部にはマットの受けとして機能するステーが複数本固着されている。
このように構成された腰受ボトム５は、前記軸材５ｃ，５ｃを前記摺動フレーム３のプレート４４，４４に設けた空孔部４４ａ，４４ａに枢結させることで、前記軸材５ｃ，５ｃを中心に当該腰受ボトム５が回動可能に摺動フレーム３に配設される。また、該腰受ボトム５は、床面に対して水平な状態において、前記摺動フレーム３の支持アーム３ｄ，３ｄに設けた支持具３８，３８にて前記プレート５ｅ，５ｅが支持されると共に、前記基台フレーム１１前部に設けられたローラー３１にて前記ガイド桁５ｆが支持されている。
【００１９】
次に、前記腰受ボトム５に隣接するように配設される背受ボトム６及び該背受ボトム６を前記摺動フレーム３の前後摺動により起伏させる起伏機構８について説明する。
まず、背受ボトム６は、第６図及び第７図に示すように、平面視において前側が開放された略々コ字形状に曲折した枠パイプ６ａの開放端部間に平面視において後側が開放された略々コ字形状に曲折された桁パイプ６ｂが固着されている。また、前記枠パイプ６ａと桁パイプ６ｂ間には複数の補強パイプ６ｃ，６ｃが固着され、該補強パイプ６ｃ，６ｃの適所には側面視において長孔６ｄ，６ｄが穿たれた軸受部材６ｅ，６ｅが固着されると共に、桁パイプ６ｂの両端部前面にはブラケット６ｆ，６ｆがそれぞれ固着されている。なお、図示してはいないが、背受ボトム６の内部にはマットの受けとして機能するステーが複数本固着されている。
【００２０】
次に、起伏機構８は、第６図及び第７図に示すように、側面視において略々三角形状をした第一杆体４９，４９の中部に位置する頂点近傍に固着されたボス部材４９ａ，４９ａが前記摺動フレーム３のプレート４４後部に設けたブラケット部材４４ｃ，４４ｃに係止されると共に、前記ボス部材４９ａ，４９ａと前記プレート４４，４４の空孔部４４ｂ，４４ｂが平面視において略々Ｕ字形状に曲折された軸材５０，５０にて枢結されている。このとき、前記軸材５０，５０はプレート４４，４４とブラケット部材４４ｃ，４４ｃ間に配設したバネ５１，５１により軸材５０，５０が前記空孔部４４ｂ，４４ｂとボス部材４９ａ，４９ａにしっかりと挿通されるように付勢されている。また、この第一杆体４９，４９の前部に位置する頂点近傍と前記背受ボトム６のブラケット６ｆ，６ｆが軸材５２，５２にて枢結されている。５３，５３は側面視において略々へ字形状に曲折された第二杆体であり、該第二杆体５３，５３の後部と前記基台ユニット２の基台フレーム１１に設けた取付部材２８，２８が軸材５４，５４にて枢結され、該第二杆体５３，５３の前部に設けた軸材５３ａ，５３ａに枢結したブッシュ部材５５，５５が前記背受ボトム６の軸受部材６ｅ，６ｅに設けた長孔６ｄ，６ｄに摺動可能に枢結されている。さらに、第二杆体５３，５３の中間部と第三杆体５６，５６の後部が軸材５７，５７にて枢結され、第三杆体５６，５６の前部と前記第一杆体４９，４９の後部に位置する頂点近傍が軸材５８，５８にて枢結されている。また、前記第一杆体４９，４９の内側面間及び第二杆体５３，５３の内側面間には連結パイプ５９，６０がそれぞれ固着されている。なお、前記連結パイプ５９，６０は、背受ボトム６を起伏させる際、起伏機構８の各杆体４９，４９，５３，５３，５６，５６を均等かつ同期的に作動させ、背受ボトム６が捩れること等を防止するためのものである。
このように構成された起伏機構８は、前記背受ボトム６が床面に対して水平な状態において、背受ボトム６と腰受ボトム５が同一平面を形成するように、かつ両者が隣接するように、背受ボトム６を支持している。また、この際、背受ボトム６は、前記摺動フレーム３後部に設けた支持具３９，３９と前記基台フレーム１１の取付部材２８，２８上部に設けた支持具２８ａ，２８ａによっても支持される。
また、前記背受ボトム６と腰受ボトム５に渡って、その上部には背側マットＭ１が載置されている。
【００２１】
次に、上述のように構成された起伏機構８による背受ボトム６の起伏動作について説明する。
まず、第７図の（ａ）図に示すように、腰受ボトム５と背受ボトム６が同一平面を形成する状態にあるときは、駆動手段４であるアクチュエーター４５が最も伸長した状態であり、摺動フレーム３は前端位置に位置している。この状態では、前記腰受ボトム５の揺動部材４８と前記基台ユニット２の基台フレーム１１前部に設けたローラー３１は接当していない状態であり、腰受ボトム５は床面に対して水平な状態となっている。また、起伏機構８の第二杆体５３，５３は前方へ回動した状態であり、背受ボトム６も床面に対して水平な状態となっている。
次に、第７図の（ｂ）図に示すように、アクチュエーター４５を縮めて、摺動フレーム３を後方へ移動させると、摺動フレーム３に配設された腰受ボトム５も同様に後方へ移動する。このとき、腰受ボトム５の揺動部材４８に沿って前記基台フレーム１１前部のローラー３１が転動するようになり、前記軸材５ｃ，５ｃを回動中心として腰受ボトム５の前部側が上方回動する。また、これと同時に、起伏機構８の第一杆体４９，４９が摺動フレーム３と共に後方へ移動するので、第二杆体５３，５３の回動中心である前記軸材５４，５４と第一杆体４９，４９の回動中心である前記軸材５０，５０との間隔が徐々に狭くなる。そのため、第二杆体５３，５３は、軸材５４，５４を中心に上方回動すると共に、第一杆体４９，４９は第三杆体５６，５６により回動される。このように動作する起伏機構８に配設された背受ボトム６は、腰受ボトム５の回動中心である軸材５ｃ，５ｃから徐々に離間するように押し上げられながら起立するように動作される。したがって、この起伏機構８は、背受ボトム６の起立動作時における利用者の腰部の曲折位置と背受ボトム６の見かけ上の回動中心が略々一致した状態となって、利用者と背側マットＭ１との間に違和感が出ないように、背受ボトム６を起立させるよう構成されたものとなっている。また、第７図の（ａ）図から（ｂ）図に示す状態に至るまでの間において、第二杆体５３，５３が背受ボトム６を押上げる押上げ点が、始めは第二杆体５３，５３の中間部と背受ボトム６の補強パイプ６ｃ，６ｃ下面に設けたガイド部材６ｇ，６ｇ後部との当接点であったのが、背受ボトム６の起立動作が進むに連れて、第二杆体５３，５３の前部上面とガイド部材６ｇ，６ｇ前部との当接点へと変化し、第７図の（ｂ）図に示すように、最終的には第二杆体５３，５３の前部に設けたブッシュ部材５５，５５と背受ボトム６の軸受部材６ｅ，６ｅとの当接点へ変化するようにされている。すなわち、背受ボトム６が起立するに連れて、押上げ点が背受ボトム６の回動中心である前記軸材５２，５２に近づく方向へ変化するようにされている。これによると、第７図の（ａ）図と（ｂ）図に示す状態間の背受ボトム６の起伏速度を、押上げ点を変化させずに起伏動作させた場合に比べて、ゆっくりとした起伏速度とすることができ、ベッド１に仰臥した利用者に恐怖感を与えないようにできる。また、背受ボトム６の押上げ点を変化させることで、背受ボトム６の起伏動作における全体的な起伏速度が遅すぎると、ベッド１の利用者に感じさせないようにできる。
また、第８図に示すように、アクチュエーター４５をさらに縮めて最も縮んだ状態とすると、前記基台フレーム１１前部のローラー３１と腰受ボトム５の揺動部材４８との接当状態がとけ、腰受ボトム５は水平な状態に戻る。また、背受ボトム６は起立状態で保持され、側面視においてソファー状態となる。
なお、第８図の状態からアクチュエーター４５を伸長すると、上述とは逆の手順となって、第７図の（ａ）図に示す、元の腰受ボトム５と背受ボトム６が同一平面を形成する状態かつ両者が床面に対して水平な状態へと復帰する。
【００２２】
続いて、前記腰受ボトム５に隣接するように配設される脚受ボトム７及び該脚受ボトム７を前記摺動フレーム３の前後摺動により腰受ボトム５下方に収納させる収納機構９について説明する。
まず、脚受ボトム７は、第９図に示すように、平面視において略々矩形状に構成された枠フレーム７ａの内部に複数の補強桁７ｂ，７ｂが固着されている。また、枠フレーム７ａの両側部には拡張フレーム７ｃ，７ｃが固着されている。なお、図示してはいないが、脚受ボトム７の内部にはマットの受けとして機能するステーが複数本固着されている。また、脚受ボトム７の上部には脚側マットＭ２が載置されている。
【００２３】
次に、収納機構９は、前記摺動フレーム３に前後摺動可能に配設される第二摺動フレーム６１と、該第二摺動フレーム６１と前記脚受ボトム７との間に構成される収納リンク６２と、前記摺動フレーム３に対して第二摺動フレーム６１を前後摺動させるための摺動リンク６３から主に構成されている。
まず、第二摺動フレーム６１は、第９図に示すように、左右一対の主桁６１ａ，６１ａの前部間に前桁６１ｂが固着されると共に、後部上面間に後桁６１ｃが固着され、該後桁６１ｃの適所に上下方向の軸心を有するようにボス部材６４が固着され、平面視において略々矩形状に構成されている。また、前記主桁６１ａ，６１ａの後部及び中間部には車軸６１ｄ，６１ｄ，・・・の一端が外側方向へ突出するように取付けられると共に、該車軸６１ｄ，６１ｄ，・・・の突出側に前記摺動フレーム３のレール３ｈ，３ｈ内で転動可能なローラー６１ｅ，６１ｅ，・・・が取付けられている。さらに、前記後桁６１ｃの両端部下面にはブラケット６５，６５が固着されている。
次に、収納リンク６２は、第９図に示すように、前記第二摺動フレーム６１のブラケット６５，６５に第一杆フレーム６６，６６の後部が軸材６７，６７にて枢結され、第一杆フレーム６６，６６前部に設けた軸材６６ａ，６６ａに枢結されたローラー６８，６８が前記脚受ボトム７の補強桁７ｂ，７ｂ前部下面に設けたレール７ｄ，７ｄに該レール７ｄ，７ｄ内にて前後摺動可能に枢結されている。また、前記第二摺動フレーム６１の主桁６１ａ，６１ａ前部に中間部に長孔６９ａ，６９ａが穿たれた第二杆フレーム６９，６９前部が軸材７０，７０にて枢結され、第二杆フレーム６９，６９後部が前記脚受ボトム７の補強桁７ｂ，７ｂ後部に軸材７１，７１にて枢結されている。さらに、第一杆フレーム６６，６６の中間部に固着されたボス部材６６ｂ，６６ｂに軸材７２，７２にて枢結されたブッシュ部材７３，７３が前記第二杆フレーム６９，６９の長孔６９ａ，６９ａに摺動可能に枢結されると共に、第一杆フレーム６６，６６の後部に側面視において略々台形状のガイド材７４，７４が第一杆フレーム６６，６６下方へ突出するように止着されている。また、前記第一杆フレーム６６，６６の前部間と後部間には、収納リンク６２の各杆フレーム６６，６６，６９，６９を同期的かつ均等に作動させるための連結パイプ７５，７５がそれぞれ固着されている。
続いて、摺動リンク６３は、第１０図に示すように、前記第二摺動フレーム６１のボス部材６４に第一杆体７６前部が軸材７７にて枢結され、該第一杆体７６後部と第二杆体７８前部が軸材７９にて枢結されている。また、第二杆体７８の中間後部寄りと前記摺動フレーム３のボス部材４２が軸材８０にて枢結されている。さらに、第二杆体７８後部には摺動軸８１が取付けられ、該摺動軸８１が前記基台ユニット２の基台フレーム１１のプレート２９，２９に止着された平面視において略々Ｌ字形状のＬ字孔８２ａが穿たれた案内プレート８２の前記Ｌ字孔８２ａに摺動可能に枢結されている。また、この摺動リンク６３は平面視において第一杆体７６と第二杆体７８が略々ヘ字を形成するよう構成されている。
【００２４】
次に、上述のように構成された収納機構９による脚受ボトム７の収納動作について説明する。
まず、第１０図に示すように、脚受ボトム７が腰受ボトム５と同一平面を形成する状態にあるときは、駆動手段４である前記アクチュエーター４５が最も伸長した状態であり、前記摺動フレーム３は前端位置に位置されると共に、前記第二摺動フレーム６１も前端位置に位置されている。また、このとき、収納リンク６２の第一杆フレーム６６，６６に設けたガイド材７４，７４と摺動フレーム３前部に設けたローラー４０，４０は接当した状態にあり、収納リンク６２はその作動が規制された状態となっており、脚受ボトム７は第二摺動フレーム６１上方にて床面に対して水平な状態で収納リンク６２にて支持されている。
次に、第１１図に示すように、アクチュエーター４５を縮めて、前記摺動フレーム３を後方へ移動させる。すると、第１１図の（ａ）図に示すように、前記摺動リンク６３の摺動軸８１が前記案内プレート８２に設けたＬ字孔８２ａの前後方向の穴部に沿って摺動され、摺動リンク６３の第一杆体７６と第二杆体７８が平面視において略々へ字を形成した状態を保持したまま、摺動フレーム３が移動された分だけ第二摺動フレーム６１を後方へ移動させる。すなわち、第二摺動フレーム６１は前記摺動フレーム３に対して動くことなく、第二摺動フレーム６１と摺動フレーム３が一体となった状態で後方へ移動される。したがって、第一杆フレーム６６，６６に設けたガイド材７４，７４が摺動フレーム３前部に設けたローラー４０，４０に対して動かないので、収納リンク６２は作動されることなく、収納機構９全体が後方へ移動されるようになり、脚受ボトム７は摺動フレーム３が後方へ移動した分だけ、後方へスライドするように移動される。
さらに、アクチュエーター４５を縮め、摺動フレーム３をさらに後方へ移動させる。すると、第１１図の（ａ）図に示すように、摺動リンク６３の摺同軸８１が前記案内プレート８２に設けたＬ字孔８２ａの左右方向の穴部に沿って摺動されるようになり、摺動リンク６３の前記軸材８０と摺動軸８１との前後の位置関係が入れ替わるように作動される。これにより、摺動リンク６３の各軸材７７，７９，８０が図中一点鎖線で示す軌跡を描きながら後方へ移動され、第一杆体７６と第二杆体７８が平面視において略々Ｖ字を形成するように回動され、第二摺動フレーム６１は摺動フレーム３に対して後方へ移動される。すなわち、第二摺動フレーム６１が摺動フレーム３のレール３ｈ，３ｈに沿って後方へ移動し、第二摺動フレーム６１は摺動フレーム３下部へ移動していく。この動きに伴って、第一杆フレーム６６，６６に設けたガイド材７４，７４が摺動フレーム３前部のローラー４０，４０に接当しながらローラー４０，４０に対して後方へ移動され、第一杆フレーム６６，６６は前記軸材６７，６７を中心に前部が下方回動されると共に、前部に設けたローラー６８，６８が前記脚受ボトム７のレール７ｄ，７ｄに沿って前方へ摺動される。すると、第一杆フレーム６６，６６の中間部に枢結したブッシュ部材７３，７３が第二杆フレーム６９，６９の長孔６９ａ，６９ａに沿って摺動することで、第二杆フレーム６９，６９は前記軸材７０，７０を中心にその後部が下方回動され、前記脚受ボトム７は水平な状態が保持されたまま下方へ移動される。すなわち、脚受ボトム７は後方へ移動されると共に下方へ移動される。
そして、第１２図に示すように、アクチュエーター４５を最も縮めた状態とすると、摺動フレーム３は後端位置に位置される。このとき、摺動リンク６３の前記軸材８０と摺動軸８１の前後の位置関係が入れ替わって、第一杆体７６と第二杆体７８が平面視において略々Ｖ字を形成する状態となり、第二摺動フレーム６１は摺動フレーム３の下部に収納された状態となっている。また、第一杆フレーム６６，６６に設けたガイド材７４，７４と摺動フレーム３前部のローラー４０，４０との接当状態がとけた状態となっており、第一杆フレーム６６，６６及び第二杆フレーム６９，６９はそれぞれの回動中心である前記軸材６７，６７，７０，７０を中心に最も下方回動作され、脚受ボトム７は水平な状態を保持されたまま少なくとも脚側マットＭ２が第二摺動フレーム６１と前記基台フレーム１１及び摺動フレーム３との間に収まる高さまで下方へ移動されている。すなわち、脚受ボトム７はさらに後下方へ移動され、脚受ボトム７は腰受ボトム５の下方に収納された状態となっている。
なお、第１２図の状態からアクチュエーター４５を伸長させると、上述とは逆の手順となって、元の脚受ボトム７と腰受ボトム５が同一平面を形成する状態に復帰する。
【００２５】
このように構成された収納機構９によると、摺動リンク６３にて摺動フレーム３に対して第二摺動フレーム６１を後方へ移動させることで、収納リンク６２を作動させて、脚側マットＭ２が基台フレーム１１及び摺動フレーム３と第二摺動フレーム６１の間に収まる高さに脚受ボトム７を移動させると共に、第二摺動フレーム６１を摺動フレーム３下部に移動させて、脚受ボトム７を腰受ボトム５下方に収納させるようにしている。すなわち、この収納機構９によると、脚受ボトム７の一連の収納動作において、収納機構９を構成する部材の最下点の高さを一定に保持したまま収納機構９を作動させることができる。したがって、収納機構９の下方に余分なスペースを設けておく必要がなく、ベッド１の高さを低く設定することができる。
また、この収納機構９は、摺動リンク６３を具備させたことで、前記摺動フレーム３の前後摺動に伴って、第二摺動フレーム６１が摺動フレーム３に対して前後摺動される構成とされており、駆動手段４であるアクチュエーター４５を伸縮させるだけの簡便な操作にて、収納機構９の作動と共に起伏機構８の作動と腰受ボトム５の揺動及び移動を行えるようにされている。したがって、一つの駆動手段４でベッド１を第１図の（ｂ）図に示すベッド状態または第１４図に示すソファー状態へ変形させることができる。
【００２６】
このように構成されたベッド１は、前記収納機構９によりベッド１の高さを低く設定することが可能となることから、体格の小さな利用者でも、第１４図に示すソファー状態にベッド１を変形させた際に、垂下させた足が床面に届くようにでき、様々な体格の利用者が安心して腰掛け姿勢をとれるようにできる。また、ベッド１に腰掛けている状態から離床する際に、利用者が離床しやすくできる。さらに、利用者の体格に合わせて、ベッド１の高さを設定することができるようになる。また、第１図に示すように、低床型のベッド１とすることができ、ベッド１に仰臥した利用者及びその介護者に安心感を与えることができる。
また、このベッド１は、収納機構９にて脚受ボトム７を腰受ボトム５下方に収納できるようにしたことで、脚受ボトム７を収納させた際に、ベッド１前方に開放空間を形成することができ、ベッド１に仰臥していた利用者が離床するためのスペースを簡単に確保することができる。
さらに、このベッド１は、起伏機構８及び収納機構９により、第１図の（ｂ）図に示すベッド状態から第１４図に示すソファー状態へ変形させることができることから、ベッド１に仰臥した利用者が身体の向きを換えることなく腰掛けた状態となれ、ベッド１の側部で端座位を取ることなく、利用者がベッド１前方から容易に離床可能にできる。
また、このベッド１は、基台ユニット２に昇降手段１２を備えたことで、第１図の状態から第１３図の状態または第１５図の状態へと床面に対する各ボトム５，６，７の高さを変えることができる。したがって、このベッド１は、第１３図の状態においては、ベッド１に仰臥した利用者を介護者が介助するに当たり、介護者が介助を行いやすい高さに任意にベッド１の高さを調節でき、より楽に介助が行えるようになる。また、第１５図においては、利用者が腰掛けた状態から離床しやすい高さに任意にベッド１の高さを調節できることで、利用者がより離床しやすくできる。すなわち、このベッド１は、基台ユニット２に昇降手段１２を具備させたことで、より使い勝手の良いベッド１とされている。
【００２７】
なお、本実施例では、第二摺動フレーム６１の移動量を摺動フレーム３の移動量より大きくするために、前記摺動リンク６３を用いているが、例えば、前記第一杆体７６と第二杆体７８の間にさらに杆体を配設した構成としても良く、第二摺動フレーム６１の移動量を摺動フレーム３の移動量より大きくできる摺動リンクであれば何ら問題はない。
また、本実施例では、収納機構９に摺動リンク６３を用いているが、例えば、摺動リンク６３の代わりに摺動フレーム３と第二摺動フレーム６１との間に、摺動フレーム３に対して第二摺動フレーム６１が前後摺動可能となるように駆動手段を配設させる。そして、該駆動手段を前記駆動手段４とは独立して操作できるようにしても良い。また、該駆動手段を前記駆動手段４の作動に応じて作動するようにしても良い。これらの様にしても、前記収納機構９と同様の作用を得ることができる収納機構を構成することができる。
さらに、本実施例では、摺動リンク６３の案内プレート８２にＬ字孔８２ａを設けることで、摺動軸８１がＬ字孔８２ａに沿って前後方向の移動をしている間は、第二摺動フレーム６１と摺動フレーム３を一体として移動させ、摺動軸８１がＬ字孔８２ａに沿って左右方向の移動をするようになると、第二摺動フレーム６１が摺動フレーム３に対して移動するようにされている。すなわち、摺動軸８１が左右方向への移動をすることにより、摺動リンク６３の第二杆体７８が軸材８０を中心に回動し、第二摺動フレーム６１が摺動フレーム３に対して動作する。したがって、案内プレート８２に設ける孔部はＬ字孔８２ａの形状に限ることなく、第二杆体７８が軸材８０を中心に回動可能となるように摺動軸８１が左右方向に移動可能な形状の孔部であれば良い。つまり、前後方向に対して斜めに穿たれた孔部でも良い。また、平面視において略々く字状の孔部でも、左右方向に一の字状の孔部でも良い。これらのような孔部によると、前記Ｌ字孔８２ａと同様に第二摺動フレーム６１を摺動フレーム３に対して動作させることができると共に、孔部の形状を変えることにより、脚受ボトム７を腰受ボトム５下方に収納させるタイミングを変えることができる。
また、本実施例では、各杆フレーム６６，６６，６９，６９にてＸフレームを形成させた収納リンク６２を用いて、脚受ボトム７を水平に保持したまま昇降させることを可能とし、脚受ボトム７及び脚側マットＭ２を収納させるための第二摺動フレーム６１と基台フレーム１１及び摺動フレーム３との間に設ける空間を少なくなるようにしているが、例えば、収納リンクに平行リンクを用いても良く、脚受ボトム７を他のボトム５，６と同一平面を形成する状態で支持可能かつ脚受ボトム７を水平な状態に保持したまま昇降させることができるものであれば何ら問題はない。
【図面の簡単な説明】
【００２８】
【図１】ベッドを示す説明図。                                                （ａ）その平面図。                                                          （ｂ）その側面図。
【図２】基台ユニットを示す平面図。
【図３】基台ユニットを示す側面図。                                          （ａ）その下降状態を示す側面図。                                            （ｂ）その上昇状態を示す側面図。
【図４】基台フレームを示す説明図。                                          （ａ）その平面図。                                                          （ｂ）その側断面図。
【図５】摺動フレームを示す説明図。                                          （ａ）その平面図。                                                          （ｂ）その側断面図。
【図６】起伏機構の構成を示す平面図。
【図７】起伏機構の構成を示す説明図。                                        （ａ）ベッド状態における起伏機構の状態を示す部分側断面図。                  （ｂ）起伏機構が作動していく様子を示す部分側断面図。
【図８】ソファー状態における起伏機構の状態を示す部分側断面図。
【図９】第二摺動フレーム及び収納リンクを示す説明図。                        （ａ）その平面図。                                                          （ｂ）その部分側断面図。
【図１０】収納機構の構成を示す説明図。                                      （ａ）その平面図。                                                          （ｂ）その部分側断面図。
【図１１】収納機構が作動する様子を示す説明図。                              （ａ）その平面図。                                                          （ｂ）その部分側断面図。
【図１２】脚受ボトムが収納された状態を示す部分側断面図。
【図１３】ベッド状態において昇降手段を作動させた状態を示す側面図。
【図１４】ベッドのソファー状態を示す側面図。
【図１５】ソファー状態において昇降手段を作動した状態を示す側面図。
【符号の説明】
【００２９】
１    ベッド
２    基台ユニット
３    摺動フレーム
４    駆動手段
５    腰受ボトム
６    背受ボトム
７    脚受ボトム
８    起伏機構
９    収納機構
１０  ベースフレーム
１１  基台フレーム
１２  昇降手段
６１  第二摺動フレーム
６２  収納リンク
６３  摺動リンク
ＨＢ  ヘッドボード
Ｍ１    背側マット
Ｍ２    脚側マット
【図１】
2006296612.tif 000003
【図２】
2006296612.tif 000004
【図３】
2006296612.tif 000005
【図４】
2006296612.tif 000006
【図５】
2006296612.tif 000007
【図６】
2006296612.tif 000008
【図７】
2006296612.tif 000009
【図８】
2006296612.tif 000010
【図９】
2006296612.tif 000011
【図１０】
2006296612.tif 000012
【図１１】
2006296612.tif 000013
【図１２】
2006296612.tif 000014
【図１３】
2006296612.tif 000015
【図１４】
2006296612.tif 000016
【図１５】
2006296612.tif 000017